(57)【要約】【課題】上下方向に配置された複数の回路遮断器のＯＮ動作を制限する省スペースで装着できる機械的なインターロック装置を提供する。【解決手段】中間及び最下段に位置する回路遮断器にはその開閉機構（４）がＯＮ動作したとき下方に引っ張られるワイヤ（１４）を取り付け，上側の回路遮断器にはワイヤ（１４）の他端となるワイヤ（２６，２７）が連結されたワイヤ連結リンク（１８，１９）とトリップ中継レバー（１６，１７）と駆動リンク（２０，２１）と中継リンク（２２）を設け，中継リンク（２２）が上方へ変位することによってトリップ片（７）を上方へ変位させて開閉機構のラッチ機構を非係合状態として，上側の回路遮断器をＯＮできないようにする。【選択図】  図２
2004303429.tif 000002
【特許請求の範囲】
【請求項１】
開閉接触子，前記開閉接触子を操作する開閉機構，非係合状態で前記開閉機構のＯＮ動作を阻止するラッチ手段及び上方又は下方のトリップ位置に変位させることによって前記ラッチ手段を非係合状態にするトリップ片を有する上下方向に配置された複数の回路遮断器に取り付けられる機械的なインターロック装置であって，一端がＯＮ動作する前記開閉機構に引っ張られるように該開閉機構に連結されるとともに他端が他の回路遮断器の前記トリップ片をトリップ方向に変位させるように連結されたワイヤを有するものにおいて，
前記トリップ片のトリップ位置方向に対応して相対的にそれぞれ上方又は下方に配置された前記回路遮断器にトリップ中継レバーを設け，前記トリップ中継レバーはその回転中心に関して一方側にそれぞれ下方又は上方に配置された前記回路遮断器の開閉機構に連結された前記ワイヤとの連結部を有し他方側に前記一方側に連結されたワイヤが引っ張られたとき前記トリップ片をトリップ方向に変位させる操作手段を有することを特徴とする回路遮断器のインターロック装置。
【請求項２】
両端がそれぞれ上方又は下方に変位したとき前記トリップ片をトリップ方向に変位させる中継リンクを備えたそれぞれ上方から下方へ又は下方から上方へ順次配置された第１回路遮断器，第２回路遮断器及び第３回路遮断器に取り付けられる前記インターロック装置であって，
前記第１回路遮断器は互いに独立して回転する一対の前記トリップ中継レバーを有し，前記中継リンクの一端は前記第２回路遮断器の開閉機構に連結された前記ワイヤとの連結部を有する一方の前記トリップ中継レバーによって操作され，前記中継リンクの他端は前記第３回路遮断器の開閉機構に連結された前記ワイヤとの連結部を有する他方の前記トリップ中継レバーによって操作され，
前記第２回路遮断器の前記中継リンクの一端は前記第３回路遮断器の開閉機構に連結された前記ワイヤとの連結部を有する前記トリップ中継レバーによって操作されることを特徴とする請求項１に記載の回路遮断器のインターロック装置。
【発明の詳細な説明】
【０００１】
【発明の属する技術分野】
本発明は，上下に複数台配置されている回路遮断器が所定の条件において選択的にＯＮにできないようにする機械的なインターロック装置，特に案内チューブ内をスライドするワイヤを利用したインターロック装置に関する。
【０００２】
【従来の技術】
回路遮断器は，主電路をＯＮ及びＯＦＦする開閉接触子，開閉接触子を操作する開閉機構，係合していることによって開閉機構をＯＮ状態に維持するラッチ手段及びラッチ手段の係合を解除させて開閉機構をＯＦＦ動作させるトリップ片を備える。なお，このトリップ片を動作したトリップ位置で維持するとラッチ手段を非係合状態に維持する構造となっており，ＯＮ操作してもその回路遮断器をＯＮにできない構成となっている。
【０００３】
このような回路遮断器を複数の電源装置のそれぞれに接続して電源の管理を行うシステムがある。例えば，第１の例として二つの電源装置から同時に給電されることがないように一方の回路遮断器がＯＮのときは他方をＯＮにできないようなシステムであり，第２の例として三つの電源装置の全てから同時に給電されないように２台の回路遮断器がＯＮ状態の場合は残りの１台の回路遮断器がＯＮにできないようなシステムであり，第３の例として一つの特定の電源装置と二つの非特定の電源装置から同時に給電できないように特定の電源装置の回路遮断器がＯＮ状態の場合は非特定の電源装置の２台の回路遮断器がいずれもＯＮにならないようにするとともに１台又は２台の非特定の電源装置の回路遮断器がＯＮ状態の場合は特定の電源装置の回路遮断器がＯＮにできないようにするシステムである。
【０００４】
このようなシステムを実現するには回路遮断器間でインターロックを構成する必要がある。このため回路遮断器にはインターロック装置が取り付けられるようになっている。このインターロック装置には，一の回路遮断器と二の回路遮断器をプッシュプルワイヤ、ボーデンケーブルなどと呼ばれるワイヤによって連結し，一の回路遮断器がＯＮ操作されたとき二の回路遮断器のトリップ片をトリップ位置方向に変位させ，二の回路遮断器がＯＮになることを阻止するようにしたものがある。プッシュプルワイヤは，両回路遮断器をつなぐように両端を固定したフレキシブルな管の中を，一端が一の回路遮断器の開閉機構に取り付けられ，他端が二の回路遮断器のトリップ片に取り付けらた鋼製のワイヤがスライドできるようにしたもので，開閉機構の動作ストロークを正確にトリップ片に伝達できる。
【０００５】
【特許文献１】特表平１１−５０１４５１号公報
【０００６】
【発明が解決しようとする課題】
回路遮断器にはトリップ片を上方に変位させたとき開閉機構のラッチ手段の係合を解除させるものがあり，このような回路遮断器群を上下方向に並べて配置するシステムにおいて機械的にインターロックを構成させる場合は以下のような問題があった。
すなわち，プッシュプルワイヤは開閉機構がＯＮ動作したとき引っ張ってトリップ片を動作させたほうがより正確に動作させることができることを考慮すると，上側の回路遮断器がＯＮ操作されたとき，その開閉機構の変位によってワイヤを引っ張って下側の回路遮断器のトリップ片を上方に変位させることを最短のワイヤ寸法で構成することは容易にできる。しかし，下側の回路遮断器がＯＮ操作されたとき，ワイヤを引っ張って上側の回路遮断器のトリップ片を上方に変位させるためには，ワイヤを一旦上側の回路遮断器よりさらに上方に配置して下方に折り返してトリップ片に連結する必要があった。このような配置において，プッシュプルワイヤは鋭角的に曲げることは動作不良の要因となるため大きなループを描くように配置する必要があり，配電盤内に大きなスペースが必要であった。
したがって，本願発明はこのような問題を解決する回路遮断器の機械的インターロック装置を提供することを目的とする。
【０００７】
【課題を解決するための手段】
上記の問題を解決するために，請求項１の発明による回路遮断器のインターロック装置は，開閉接触子，開閉接触子を操作する開閉機構，非係合状態で開閉機構のＯＮ動作を阻止するラッチ手段及び上方又は下方のトリップ位置に変位させることによってラッチ手段を非係合状態にするトリップ片を有する上下方向に配置された複数の回路遮断器に取り付けられる機械的なインターロック装置であって，一端がＯＮ動作する開閉機構に引っ張られるように該開閉機構に連結されるとともに他端が他の回路遮断器のトリップ片をトリップ方向に変位させるように連結されたワイヤを有するものにおいて，トリップ片のトリップ位置方向に対応して相対的にそれぞれ上方又は下方に配置された回路遮断器にトリップ中継レバーを設け，トリップ中継レバーはその回転中心に関して一方側にそれぞれ下方又は上方に配置された回路遮断器の開閉機構に連結されたワイヤとの連結部を有し他方側に一方側に連結されたワイヤが引っ張られたときトリップ片をトリップ方向に変位させる操作手段を有することとしている。
【０００８】
このような構成による作用を，トリップ片が上方向に変位したときラッチ手段を非係合状態にする回路遮断器について説明する。なお，下方向に変位したとき非係合状態となる回路遮断器については（    ）内で示す。すなわち，このような構成によって，トリップ片を上方向（下方向）に変位させることによってラッチ手段が非係合状態になる上側に配置された回路遮断器のトリップ中継レバーは，下側（上側）に配置された回路遮断器がＯＮ動作することによって下方（上方）に引っ張られるワイヤによってトリップ片を上方向（下方向）に変位させるように回転するため，ワイヤをループ状に配置する必要がなく，最短のワイヤ長さでインターロック機能を達成できる。
【０００９】
請求項２による回路遮断器のインターロック装置は，両端がそれぞれ上方又は下方に変位したときトリップ片をトリップ方向に変位させる中継リンクを備えたそれぞれ上方から下方へ又は下方から上方へ順次配置された第１回路遮断器，第２回路遮断器及び第３回路遮断器に取り付けられるインターロック装置であって，第１回路遮断器は互いに独立して回転する一対のトリップ中継レバーを有し，中継リンクの一端は第２回路遮断器の開閉機構に連結されたワイヤとの連結部を有する一方のトリップ中継レバーによって操作され，中継リンクの他端は第３回路遮断器の開閉機構に連結されたワイヤとの連結部を有する他方のトリップ中継レバーによって操作され，第２回路遮断器の中継リンクの一端は第３回路遮断器の開閉機構に連結されたワイヤとの連結部を有するトリップ中継レバーによって操作されることとしている。
【００１０】
このような構成によって，両端が共に上方向（下方向）に変位したときトリップ片を上方向（下方向）に変位させてラッチ手段を非係合状態にさせる中継リンクを備えた３台の回路遮断器において，最上段（最下段）に配置された第１回路遮断器の一対のトリップ中継レバーの一方は，中間に配置された第２回路遮断器がＯＮ動作することによって下方（上方）に引っ張られるワイヤによって中継リンクの一端を上方向（下方向）に変位させるように回転し，他方のトリップ中継レバーは最下段（最上段）に配置された第３回路遮断器がＯＮ動作することによって下方（上方）に引っ張られるワイヤによって中継リンクの他端を上方向（下方向）に変位させるように回転する。
【００１１】
また，中間に位置する第２回路遮断器のトリップ中継レバーは，相対的に下側（上側）の第３回路遮断器がＯＮ動作することによって下方（上方）に引っ張られるワイヤによって中継リンクの一端を上方向（下方向）に変位させるように回転する。中継リンクの他端は相対的に上側（下側）の第１回路遮断器ＯＮ動作することによって上側（下側）に引っ張られるワイヤによってトリップ中継レバーを介することなく上側（下側）に変位する。なお，最下段（最上段）に位置する第３回路遮断器の中継リンクの一端及び他端は，いずれも相対的に上側（下側）に位置するそれぞれ第１回路遮断器及び第２回路遮断器がＯＮ動作することによって上方（下方）に引っ張られるワイヤによってトリップ中継レバーを介することなく上側（下側）に変位する。
【００１２】
以上のように，第１回路遮断器，第２回路遮断器及び第３回路遮断器のいずれの回路遮断器も他の２台のうち１台でもＯＦＦであればＯＮにすることはできるが，両方ともＯＮになればＯＮにすることができないというインターロック機能を最短のワイヤ長さで達成できる。
【００１３】
【発明の実施の形態】
本発明の実施の形態を，図１ないし図８に示されている第１実施例，図９ないし図１１に示されている第２実施例及び図示はされていない第３実施例ないし第５実施例において説明する。
図１を参照して，本発明による第１実施例の機械的なインターロック装置を装着した３台の回路遮断器Ａ，Ｂ及びＣが上方から下方に配置されている。それぞれの回路遮断器には，正面から見たときの左側板にインターロックユニット１が取り付けられており，インターロックユニット１にはプッシュプルワイヤが相互に連結されている。
【００１４】
図２を参照して，それぞれのインターロックユニット１はベース板２及び図２には示されていない中間板３上に構成され，ベース板２が回路遮断器の側板に固定されて保持されている。それぞれの回路遮断器は，詳細が図示されていない開閉機構の動作によって回路遮断器がＯＮになったとき時計方向に回転しＯＦＦになったとき反時計方向に回転する開閉軸４，開閉軸４と共に回転するレバーの端部に設けられた駆動片５，係合を解除させることによって回路遮断器をＯＦＦにするとともに係合が確立していない状態でＯＮ操作をしてもＯＮにならない機能を有する開閉機構に含まれるラッチ機構，反時計方向に回転したときラッチ機構の係合を解除するトリップシャフト６及び上方に変位することによってトリップシャフト６を反時計方向に回転させるトリップ片７を含んでいる。なお，図２及び図４では開閉軸４とトリップシャフト６が同軸上にあるように示されているが同軸上である必要はない。
【００１５】
インターロックユニット１には，能動部材，すなわちＯＮ状態にある回路遮断器が他の回路遮断器がＯＮ状態になることを阻止する部材として，ベース板２と中間板３とによって保持された軸８上に回転自在に設けられた断面がコ字状のレバー９，レバー９に含まれた一方の腕９ａ，他方の腕９ｂ及び受動片９ｃ，レバー９の一方の腕９ａ及び他方の腕９ｂにそれぞれピンを介して回転自在に設けられたそれぞれ一対のワイヤ連結リンク１０及び１１，レバー９を反時計方向に付勢するばね１２並びにそれぞれのワイヤ連結リンク１０及び１１に結合したワイヤ１３及び１４を取り付けることができる。なお，ワイヤ連結リンク１０及び１１並びにワイヤ１３及び１４は後述するように回路遮断器の設置位置に応じて選択的に取り付けられる。
【００１６】
また，このインターロックユニット１には，受動部材，すなわち他の回路遮断器がＯＮ状態にあるとき当該の回路遮断器がＯＮ状態にならないようにトリップシャフト６を回転させる部材として，図２，図３（ｂ）及び図４を参照して，ベース板２と中間板３とによって保持された軸１５上に回転自在に設けられた断面がコ字状のトリップ中継レバー１６及び１７，トリップ中継レバー１６及び１７のそれぞれ一方の腕に回転自在に設けられたワイヤ連結リンク１８及び１９，トリップ中継レバー１６及び１７のそれぞれ他方の腕に回転自在に設けられた駆動リンク２０及び２１，駆動片２２ａを有する断面がコ字状の中継リンク２２，中継リンク２２の両腕に設けられ駆動リンク２０及び２１に形成された長孔２０ａ及び２１ａにはめ込まれた連結ピン２３及び２４，中継リンク２２を下方に付勢するばね２５並びにワイヤ連結リンク１８及び１９に結合したワイヤ２６及び２７を取り付けることができる。なお，中継リンク２２の移動範囲は，図４において上下方向はベース板２と中間板３によって制限され，図２において左右方向はベース板２に形成された左右の孔２ｂ及び２ｃとそれぞれ連結ピン２３及び２４が係合することによって限定される。
【００１７】
上述したインターロックユニット１は，図５を参照して，図２，図３（ｂ）及び図４に示されている部材から軸１５，トリップ中継レバー１６及び１７，ワイヤ連結リンク１８及び１９，駆動リンク２０及び２１並びにワイヤ２６及び２７を省略し，長孔２８ａを有するワイヤ連結リンク２８，長孔２９ａを有するワイヤ連結リンク２９，ワイヤ３１及び３２を取り付けて受動部材を構成することもできる。
なお，プッシュプルワイヤは，例えば図２を参照して，一端を駆動部材に結合させ他端を受動部材に結合させたワイヤ１４を可とう性のあるチューブ３０内を貫通させ，このチューブの両端をそれぞれ駆動部材及び受動部材付近で固定するようにしたものである。
【００１８】
回路遮断器Ａ，Ｂ及びＣには，取り付けられる位置に応じて以下のようなインターロックユニット１を装着する。すなわち，最上段の回路遮断器Ａには，図２ないし図４において能動部材からそれぞれ一対のワイヤ連結リンク１１及びワイヤ１４を省略したインターロックユニット１を取り付ける。また，最下段の回路遮断器Ｃには，能動部材からそれぞれ一対のワイヤ連結リンク１０及びワイヤ１３を省略し図５に示されている受動部材を有する構成のインターロックユニット１を取り付ける。さらに，中間の回路遮断器Ｂには，能動部材は図３にそれぞれ一対示されているワイヤ連結リンク１０及び１１並びにワイヤ１３及び１４のそれぞれ一方を省略してそれぞれ一個とし，受動部材は図２に示されているワイヤ２７，ワイヤ連結リンク１９，トリップ中継レバー１７及び駆動リンク２１を省略し図５に示されているワイヤ連結リンク２９及びワイヤ３２を加えたインターロックユニット１を取り付ける。なお，ワイヤ以外の使用されない部材は必要ないが取り付けておいてもよい。
【００１９】
図６を参照して，このようにそれぞれの回路遮断器に取り付けたプッシュプルワイヤを次のように連結する。まず，最上段の回路遮断器Ａの能動部材である２本のワイヤ１３をそれぞれ１本づつ回路遮断器Ｂの受動部材であるワイヤ連結リンク２９及び回路遮断器Ｃのワイヤ連結リンク２９に連結する。すなわち，回路遮断器Ｂ及びＣのワイヤ３２は回路遮断器Ａのワイヤ１３に一致する。このワイヤはそれぞれ「Ａ→Ｂ」及び「Ａ→Ｃ」と図示されている。次に，中間の回路遮断器Ｂのワイヤ１４及びワイヤ１３をそれぞれ最上段の回路遮断器Ａのワイヤ連結リンク１８及び最下段の回路遮断器のワイヤ連結リンク２８に連結する。すなわち，回路遮断器Ａのワイヤ２６は回路遮断器Ｂのワイヤ１４に一致し，回路遮断器Ｃのワイヤ３１は回路遮断器Ｂのワイヤ１３に一致する。このワイヤはそれぞれ「Ｂ→Ａ」及び「Ｂ→Ｃ」と図示されている。また，最下段の回路遮断器Ｃの２本のワイヤ１４をそれぞれ最上段の回路遮断器Ａのワイヤ連結リンク１９及び中間の回路遮断器Ｂのワイヤ連結リンク１８に連結する。すなわち，回路遮断器Ａ及びＢのワイヤ２７及び２６は回路遮断器Ｃのワイヤ１４に一致する。このワイヤはそれぞれ「Ｃ→Ａ」及び「Ｃ→Ｂ」と図示されている。
【００２０】
以上のように構成されているこの実施例のインターロック装置の動作を，回路遮断器Ｂ及びＣをＯＮにしたとき回路遮断器ＡをＯＮにできないという機能について説明する。図２，図３及び図７を参照して，回路遮断器ＢをＯＮにすると開閉軸４が反時計方向に回転して駆動片５がベース板２の孔２ａから駆動片５側に突き出た受動片９ｃを押してレバー９を時計方向に回転させる。このレバー９の回転によってワイヤ１４が下方に引っ張られ，最上段の回路遮断器Ａのワイヤ２６が下方に引っ張られてトリップ中継レバー１６が時計方向に回転し，駆動リンク２０及び連結ピン２３を介して，図８（ａ）のごとく，中継リンク２２が左上がりに傾斜する。一方，レバー９の回転によって，ワイヤ１３が上方に引っ張られ，最下段の回路遮断器Ｃもワイヤ３１が上方に引っ張られてワイヤ連結リンク２８及び連結ピン２３を介して，図８（ａ）のごとく，中継リンク２２が左上がりに傾斜する。この時点ではベース板２の孔２ｄからトリップ片７方向に突き出た駆動片２２ａがトリップ片７に接近するが接触はしないため，最上段及び最下段の回路遮断器Ａ及びＣの開閉機構のラッチ機構の係合は解除されない。
【００２１】
次に，最下段の回路遮断器ＣをＯＮにするとレバー９の時計方向の回転によって一対のワイヤ１４が下方に引っ張られ，一方のワイヤ１４によって最上段の回路遮断器Ａのワイヤ２７が下方に引っ張られてトリップ中継レバー１７が反時計方向に回転し，駆動リンク２１及び連結ピン２４を介して中継リンク２２の右側を引き上げるため，図８（ｃ）のごとく，中継リンク２２が水平になる。この位置ではトリップ片７が前述した開閉機構のラッチ機構の係合を解除させる位置まで押し上げられるため，最上段の回路遮断器ＡをＯＮにすることはできない。このとき，他方のワイヤ１４は中間の回路遮断器Ｂのワイヤ２６，ワイヤ連結リンク１８，トリップ中継レバー１６，駆動リンク２０及び連結ピン２３を介して中継リンク２２の左側を引き上げて図８（ａ）のごとく中継リンク２２を傾斜させるだけである。
【００２２】
同様に，最上段の回路遮断器Ａ及び最下段の回路遮断器ＣをＯＮにしたときは，最上段の回路遮断器Ａのワイヤ１３に引っ張られて中間の回路遮断器Ｂのワイヤ３２，ワイヤ連結リンク２９及び連結ピン２４を介して図８（ｂ）のごとく中継リンク２２が右上がりに傾斜し，最下段の回路遮断器Ｃのワイヤ１４に引っ張られて中間の回路遮断器Ｂのワイヤ２６，ワイヤ連結リンク１８，トリップ中継レバー１６，駆動リンク２０及び連結ピン２３を介して図８（ｃ）のごとく中継リンク２２が平行になり，中間の回路遮断器ＢをＯＮにすることはできない。さらに同様に，最上段の回路遮断器Ａ及び中間の回路遮断器ＢをＯＮにしたときは，最上段の回路遮断器Ａのワイヤ１３に引っ張られて最下段の回路遮断器Ｃのワイヤ３２，ワイヤ連結リンク２９及び連結ピン２４を介して図８（ｂ）のごとく中継リンク２２が右上がりに傾斜し，中間の回路遮断器Ｂのワイヤ１３に引っ張られて最下段の回路遮断器Ｃのワイヤ３１，ワイヤ連結リンク２８及び連結ピン２３を介して図８（ｃ）のごとく中継リンク２２が平行になり，最下段の回路遮断器ＣをＯＮにすることはできない。
このように，いずれの場合も，２台の回路遮断器がＯＮ状態にあるときは残りの１台をＯＮにできないというインターロック機能が発揮される。
【００２３】
図９ないし図１１を参照して本発明による第２の実施例を説明する。この実施例は３台の回路遮断器Ｄ，Ｅ及びＦのうち特定の回路遮断器ＥがＯＮのとき特定以外の他の２台の回路遮断器Ｄ及びＦのいずれもＯＮにできず，特定以外の他の２台の回路遮断器Ｄ及びＦの少なくとも１台がＯＮのときは特定の回路遮断器ＥをＯＮにできないというインターロック機能を備えたものである。以下に，第１実施例と同一部材については同一の符号を使用して，第２の実施例に使用されるインターロックユニット５０について説明をする。
【００２４】
インターロックユニット５０は，図２，図３（ｂ），図５を参照して，インターロックユニット１の部材から駆動リンク２１，トリップ中継レバー１７，ワイヤ連結リンク１９，ワイヤ２７を省略し，図１０に示されているごとく，ブッシングを介して軸固定板５１をベース板２に取り付けて連結ピン２４を図８（ｂ）に示されているように中継リンク２２が右上がりに傾斜している位置で固定した構成となっている。なお，図１０では，トリップ中継レバー１６及びトリップ中継レバー１６に連結されている部材の図示が省略されている。そして，図１１を参照して，最上段の回路遮断器Ｄのワイヤ１３を中間の回路遮断器Ｅのワイヤ連結リンク２８に連結し，中間の回路遮断器Ｅのワイヤ１４及びワイヤ１３をそれぞれ最上段の回路遮断器Ｄのワイヤ連結リンク１８及び最下段の回路遮断器Ｆのワイヤ連結リンク２８に連結し，最下段の回路遮断器Ｆのワイヤ１４を中間の回路遮断器Ｅのワイヤ連結リンク１８に連結している。すなわち，最上段の回路遮断器Ｄのワイヤ１３は中間の回路遮断器Ｅのワイヤ３１であり，中間の回路遮断器Ｅのワイヤ１４及び１３はそれぞれ最上段の回路遮断器Ｄのワイヤ２６及び最下段の回路遮断器Ｆのワイヤ３１であり，最下段の回路遮断器Ｆのワイヤ１４は中間の回路遮断器Ｅのワイヤ２６である。
【００２５】
以上のように構成されているこの第２の実施例のインターロック装置の動作を説明する。図１１を参照して，回路遮断器ＥをＯＮにするとレバー９の回転によってワイヤ１４が下方に引っ張られ，最上段の回路遮断器Ｄのワイヤ２６が下方に引っ張られてトリップ中継レバー１６が時計方向に回転し，駆動リンク２０及び連結ピン２３を介して中継リンク２２の左が上方に引き上げられ，一方，ワイヤ１３が上方に引っ張られて最下段の回路遮断器Ｆのワイヤ３１が上方に引っ張られてワイヤ連結リンク２８及び連結ピン２３を介して中継リンク２２の左が上方に引き上げられ，図８（ｃ）のごとく中継リンク２２が水平となるため両回路遮断器Ｄ及びＦをＯＮにできない。
【００２６】
また，最下段の回路遮断器ＦをＯＮにすると，ワイヤ１４が下方に引っ張られ，中間の回路遮断器Ｅのワイヤ２６が下方に引っ張られてトリップ中継レバー１６が時計方向に回転し，駆動リンク２０及び連結ピン２３を介して中継リンク２２の左が上方に引き上げられ中継リンク２２が水平となる。また，最上段の回路遮断器ＤをＯＮにすると，ワイヤ１３によって中間の回路遮断器Ｅのワイヤ３１が上方に引っ張られてワイヤ連結リンク２８及び連結ピン２３を介して中継リンク２２の左側が引き上げられ中継リンク２２が水平になる。
【００２７】
以上説明した第２の実施例は，特定の回路遮断器を上下方向の中間に位置する回路遮断器としたが，以下のような構成にすることによって最上段の回路遮断器を特定の回路遮断器とすることができる。この実施例を第３の実施例とすると，図示は省略するが，第３の実施例の最上段の回路遮断器のインターロックユニット５０はそれぞれ２本のワイヤ１３とワイヤ２６を取り付けられる構成とし，中間及び最下段の回路遮断器のインターロックユニット５０は第２実施例の最下段のインターロックユニット５０と同一の構成とする。そして，最上段の２本のワイヤ１３はそれぞれ中間及び最下段の回路遮断器のワイヤ連結リンク２８に一本ずつ取り付け，中間及び最下段の回路遮断器のワイヤ１４は最上段の回路遮断器のワイヤ連結リンク１８に並列に取り付ける。なお，この場合，最上段の回路遮断器のインターロックユニット５０に必要となる追加の一組のワイヤ連結リンク１８，トリップ中継レバー１６及び駆動リンク２０はベース板２と中間板３との間に取り付けることができ，既存の一組とは独立して作動するため，中間及び最下段の回路遮断器のいずれがＯＮになっても最上段の回路遮断器の中継リンク２２を回転させてＯＮになることを防止できる。
【００２８】
さらに，以下のような構成にすることによって最下段の回路遮断器を特定の回路遮断器とすることができる。この実施例を第４の実施例とすると，図示は省略するが，第４の実施例の最下段の回路遮断器のインターロックユニット５０はそれぞれ２本のワイヤ１４とワイヤ３１を取り付けられる構成とし，中間及び最上段の回路遮断器のインターロックユニット５０は第２実施例の最上段のインターロックユニット５０と同一の構成とする。そして，最下段の２本のワイヤ１４はそれぞれ中間及び最下段の回路遮断器のワイヤ連結リンク１８に一本ずつ取り付け，中間及び最上段の回路遮断器のワイヤ１３は最下段の回路遮断器のワイヤ連結リンク２８に並列に取り付ける。なお，この場合，最下段の回路遮断器のインターロックユニット５０に必要となる追加の一個のワイヤ連結リンク２８はベース板２と中間板３との間に取り付けることができ，既存のワイヤ連結リンク２８とは独立して作動するため，中間及び最上段の回路遮断器のいずれがＯＮになっても最下段の回路遮断器のばね２５を回転させてＯＮになることを防止できる。
【００２９】
以上の実施例は，回路遮断器を３台上下方向に配置した場合の実施例であるが，第５の実施例として図示は省略するが，上下方向に配置された２台の回路遮断器のいずれか一方がＯＮのとき他方の回路遮断器をＯＮにできないというインターロック構成が可能である。第５の実施例の構成は，図１１で示されている第２実施例において中間の回路遮断器Ｅを省略したものと考えればよく，上の回路遮断器Ｄのワイヤ１３及びワイヤ２６をそれぞれ下の回路遮断器Ｆのワイヤ連結リンク２８及びワイヤ連結リンク１１と連結すればよい。
また，以上の実施例の回路遮断器はトリップ片７が上方に変位することによってラッチ機構を非係合状態になる構造となっているが，下方に変位する構造のものにあっては上述のインターロックユニット１及び５０の構成を上下対称に構成すればよい。
【００３０】
【発明の効果】
本発明は，以上説明した形態で実施され，請求項１の発明は，上下に配置された複数の回路遮断器のインターロック機能を最短寸法のワイヤで達成できるため配電盤を小さくできるという効果を奏する。また，請求項２の発明は上下に配置された３台の回路遮断器のうち２台がＯＮ状態にあれば他の１台をＯＮにできないというインターロック機能を配電盤を大きくすることなく達成できる。
【図面の簡単な説明】
【図１】本発明による第１実施例の機械的インターロック装置を装着した回路遮断器群の斜視図である。
【図２】図１に取り付けられているインターロックユニットの内部を図１において左側から見た図である。
【図３】図２を（ａ）左側及び（ｂ）右側から見た図である。
【図４】図２を上側から見た図である。
【図５】図１に取り付けられている他のインターロックユニットの内部を図１において（ａ）左側及び（ｂ）正面側から見た部分図である。
【図６】図１の第１実施例機械的インターロック装置を装着した回路遮断器の間のワイヤの連結を説明する図である。
【図７】動作を説明する図２の部分図である。
【図８】動作を説明する図２の部分図である。
【図９】本発明による第２実施例の機械的インターロック装置を装着した回路遮断器群の斜視図である。
【図１０】図９のインターロックユニットの内部を図９において（ａ）奥側，（ｂ）左側及び（ｃ）正面側から見た部分図である。
【図１１】図９の第２実施例機械的インターロック装置を装着した回路遮断器の間のワイヤの連結を説明する図である。
【符号の説明】
１，５０  インターロックユニット
２  ベース板，  ２ａ，２ｂ，２ｃ，２ｄ  孔
３  中間板
４  開閉軸
５  駆動片
６  トリップシャフト
７  トリップ片
８，１５  軸
９  レバー，  ９ａ  一方の腕，  ９ｂ  他方の腕，  ９ｃ  受動片
１０，１１，１８，１９，２８，２９  ワイヤ連結リンク，  ２８ａ，２９ａ  長孔
１２，２５  ばね
１３，１４，２６，２７，３１，３２  ワイヤ
１６，１７  トリップ中継レバー
２０，２１  駆動リンク，  ２０ａ，２１ａ  長孔
２２  中継リンク，  ２２ａ  駆動片
２３，２４  連結ピン
３０  チューブ
５０  インターロックユニット
５１  軸固定板
【図１】
2004303429.tif 000003
【図２】
2004303429.tif 000004
【図３】
2004303429.tif 000005
【図４】
2004303429.tif 000006
【図５】
2004303429.tif 000007
【図６】
2004303429.tif 000008
【図７】
2004303429.tif 000009
【図８】
2004303429.tif 000010
【図９】
2004303429.tif 000011
【図１０】
2004303429.tif 000012
【図１１】
2004303429.tif 000013